(57)【要約】【課題】小型にし、メンテナンススペースを縮小するようにする。【解決手段】真空チャンバ２内に電子源３を有し、前後方向に設けられた電子線加速器１と、真空チャンバ２の下面に位置し、電子源３からの電子線が下方へ照射される照射窓４と、真空チャンバ２の下方に位置し、照射窓４からの電子線が入射されるＸ線遮蔽体からなる遮蔽箱５と、遮蔽箱５に内装され、照射窓４の下方に位置し、電子線を受け止める電子線受け６と、遮蔽箱５内に設けられ、電子線受け６の上方位置の被照射物を左右方向に搬送する搬送装置７と、遮蔽箱５を支持し、遮蔽箱５を前後方向に移動する移動機構８とを備える。【選択図】        図１
2004271201.tif 000002
【特許請求の範囲】
【請求項１】
真空チャンバ内に電子源を有し、前後方向に設けられた電子線加速器と、
前記真空チャンバの下面に位置し、前記電子源からの電子線が下方へ照射される照射窓と、
前記真空チャンバの下方に位置し、前記照射窓からの電子線が入射されるＸ線遮蔽体からなる遮蔽箱と、
前記遮蔽箱に内装され、前記照射窓の下方に位置し、電子線を受け止める電子線受けと、
前記遮蔽箱内に設けられ、前記電子線受けの上方位置の被照射物を左右方向に搬送する搬送装置と、
前記遮蔽箱を支持し、前記遮蔽箱を前後方向に移動する移動機構と
を備えたことを特徴とする電子照射装置。
【請求項２】
搬送装置が、載置された被照射物を左右方向に移動するコンベア装置であることを特徴とする請求項１記載の電子線照射装置。
【請求項３】
電子線加速器が、前方への補強脚を有し、前記電子線加速器の主として後部及び両側部を支持する支持装置により支持されたことを特徴とする請求項１または請求項２記載の電子線照射装置。
【請求項４】
支持装置が、電子線加速器の後部下方に位置したほぼ直方体形状の基体と、該基体の下部から前方へ導出された補強脚と、前記基体の後部から上方へ導出された支持体と、該支持体の両側から前方に導出された支持腕と、前記加速器の後部下面に装着され、前記基体の上面に締着された取付板と、前記加速器の両側部に突設され、前記支持腕に締着された取付片とからなることを特徴とする請求項３記載の電子線照射装置。
【発明の詳細な説明】
【０００１】
【発明の属する技術分野】
本発明は、樹脂、布、紙、ゴム、金属等、連続的に長い帯状あるいは板状の被照射物に電子線を照射する電子線照射装置に関する。
【０００２】
【従来の技術】
従来の電子線照射装置は、電子線加速器から左右方向の電子線が入射される照射室が、固定された遮蔽室と、その遮蔽室の開口部を蔽う遮蔽扉により構成され、メンテナンス時、遮蔽板を左右方向に移動して遮蔽室を開放し、メンテナンス作業を行っている（例えば、特許文献１参照。）。
【０００３】
しかし、この装置の場合、照射室が固定された遮蔽室に対し遮蔽扉を左右方向に移動させねばならず、左右方向にメンテナンススペースを要するという問題点がある。
【０００４】
そこで、左右方向のメンテナンススペースをなくするため、図３に示すようなエリア型電子線照射装置が考えられる。同図において、１は前後方向に設けられた電子線加速器であり、真空チャンバ２内に電子源３が設けられている。４は真空チャンバ２の下面に設けられた照射窓であり、電子源３からの電子線が下方へ照射される。
【０００５】
５はＸ線遮蔽体からなる遮蔽箱であり、真空チャンバ２の下方に位置し、遮蔽窓４からの電子線が入射される。
【０００６】
６は遮蔽箱５に内装されれた電子線受けであり、照射窓４の下方に位置し、電子線を受け止める。７は遮蔽箱５内に設けられた搬送装置であり、電子線受け６の上方位置の被照射物を左右方向に搬送する。同図の搬送装置７はコンベア装置を示す。
【０００７】
そして、メンテナンス時、遮蔽箱５を下方に、図の２点鎖線の位置迄移動し、照射窓４の下方を開放し、照射窓４部分の窓箔等のメンテナンス作業を行う。
【０００８】
【発明が解決しようとする課題】
図３に示す電子線照射装置の場合、照射窓４部分のメンテナンスを行う場合、左右方向の位置にメンテナンススペースを要しないが、電子線加速器１と遮蔽箱５の装置高さｈのほか、遮蔽箱５を下方へ移動させるストロークの高さｈｏを要し、装置全体としての高さＨはｈ＋ｈｏとなり、ストローク高さｈｏ分を足した装置高さになり、大型になり、設置場所、輸送方法に強い制約を与えるという問題点がある。
【０００９】
また、同装置においては、真空チャンバ２内の電子源のメンテナンスを行う場合、真空チャンバ２の前面板を外して行うが、真空チャンバ２の前方に電子源３のメンテナンススペースを要し、真空チャンバ２、遮蔽箱５からなる装置の下方及び前方の２方向にメンテナンススペースが必要となり、設置場所に強い制約を与えるという問題点がある。
本発明は、前記の点に留意し、小型にし、全体的にメンテナンススペースを縮小するようにした電子線照射装置を提供することを目的とする。
【００１０】
【課題を解決するための手段】
前記課題を解決するために、本発明の電子線照射装置は、真空チャンバ内に電子源を有し、前後方向に設けられた電子線加速器と、前記真空チャンバの下面に位置し、前記電子源からの電子線が下方へ照射される照射窓と、
前記真空チャンバの下方に位置し、前記照射窓からの電子線が入射されるＸ線遮蔽体からなる遮蔽箱と、前記遮蔽箱に内装され、前記照射窓の下方に位置し、電子線を受け止める電子線受けと、前記遮蔽箱内に設けられ、前記電子線受けの上方位置の被照射物を左右方向に搬送する搬送装置と、前記遮蔽箱を支持し、前記遮蔽箱を前後方向に移動する移動機構とを備えたものである。
【００１１】
前記のように構成された本発明の電子線照射装置は、電子線加速器が前後方向に設けられ、加速器の真空チャンバ下面に照射窓が位置し、真空チャンバの下方に、照射窓からの電子線が入射される遮蔽箱が位置し、遮蔽箱内の照射窓下方位置に電子線受けが設けられ、遮蔽箱内の搬送装置が、電子線受けの上方位置の被照射物を左右方向に搬送し、かつ、遮蔽箱を支持した移動機構が、遮蔽箱を前後方向に移動するため、照射窓部分のメンテナンスを行う場合、遮蔽箱、電子線受け及び搬送装置を一体の構造体として、移動機構により前方へ移動し、照射窓の下方を開放して照射窓部分のメンテナンスを行うことができ、図３に示す装置のように、高さ方向にメンテナンスのためのストローク高さを必要とせず、装置の高さを低くすることができる。
【００１２】
さらに、真空チャンバ内の電子源のメンテナンスを行う場合、真空チャンバの前面板を外して行うことができ、照射窓及び電子源のメンテナンススペースが、装置の前方で同一方向であり、全体的にメンテナンススペースが減小し、設置場所を小さくでき、かつ、輸送制限高さ以下となるため、輸送時に装置を解体せずに輸送でき、輸送上の制約もなく、解体、組立の煩雑な作業を要しない。
【００１３】
そして、前記搬送装置は、載置された被照射物を左右方向に移動するコンベア装置であることが望ましい。
【００１４】
この場合、被照射物が帯状のものであってもテンションを掛けることができないもの、例えばゴム等伸縮するもの、あるいは角板状でローラ搬送ができないもの等に適している。
【００１５】
また、電子線加速器を、前方への補強脚を有し、電子線加速器の主として後部及び両側部を支持する支持装置により支持することが好ましい。
【００１６】
この場合、加速器、遮蔽箱の左右方向の幅より、左右方向に殆ど広がることがなく、加速器を支持することができ、装置の幅方向の拡大を防ぐことができる。
【００１７】
もし、門形等の支持手段を適用すると、遮蔽箱の左右外側に支柱を立てねばならず、両側の支柱幅の分、左右の幅が拡大することになる。
【００１８】
さらに、支持装置として、電子線加速器の後部下方に位置したほぼ直方体形状の基体と、該基体の下部から前方へ導出された補強脚と、前記基体の後部から上方へ導出された支持体と、該支持体の両側から前方に導出された支持腕と、前記加速器の後部下面に装着され、前記基体の上面に締着された取付板と、前記加速器の両側部に突設され、前記支持腕に締着された取付片とから構成することが良好である。
この場合、少ない部材で加速器を安定に支持することが可能となる。
【００１９】
【発明の実施の形態】
本発明の実施の１形態及び他の形態を図１及び図２に示し、それらの図において、図３と同一符号は同一もしくは相当するものを示す。
まず、１形態を図１を参照して説明する。真空チャンバ２内に電子源３を備えた電子線加速器１が前後方向に設けられ、支持装置（同図には図示せず）により支持されている。加速器１の真空チャンバ２下面に照射窓４が位置している。
【００２０】
真空チャンバ２の下方に、照射窓４からの電子線が入射される遮蔽箱５が位置し、遮蔽箱５内の照射窓４下方位置に電子線受け６が設けられ、遮蔽箱５内の搬送装置７が、電子線受け６の上方位置の被照射物を左右方向に搬送する。搬送装置７は、コンベア装置を図示しているが、複数個のローラにより構成してもよい。
【００２１】
遮蔽箱５は、例えばタイヤ、車輪等からなる移動機構８により支持され、移動機構８により遮蔽箱５が前後方向に移動自在になっており、装置の高さは、電子線加速器１と遮蔽箱５との高さに、移動機構８またはその一部の高さを加えたものに過ぎない。
【００２２】
そして、照射窓４部分のメンテナンスを行う場合、移動機構８により遮蔽箱５を２点鎖線の位置迄前方へ移動し、照射窓４の下方を開放して照射窓４部分のメンテナンスを行うことができ、図３に示す装置のように、高さ方向にメンテナンスのためのストローク高さを必要とせず、装置の高さを低くすることができる。
【００２３】
さらに、真空チャンバ２内の電子源３のメンテナンスを行う場合、真空チャンバ２の前面板を外して行うことができ、照射窓４部分及び電子源３のメンテナンスを行うためのスペースが、装置の前方で同一方向であり、全体的にメンテナンススペースが減小し、設置場所を小さくでき、かつ、輸送制限を著しく軽減することができる。
【００２４】
そして、前記搬送装置７が、コンベア装置である場合、被照射物が帯状のものであってもテンションを掛けることができないもの、例えばゴム等伸縮するもの、あるいは板状でローラ搬送ができないものに適している。
【００２５】
つぎに、図２は電子線加速器１の支持装置９を詳細に示したものであり、同図において、１０は支持装置９のほぼ直方体形状の基体であり、電子線加速器１の後部下方に位置している。１１は基体１０の下部両側から前方へ導出された２個の補強脚であり、補強脚１１の後部に基体１０が載置されて固着され、補強脚１１の前端は加速器１の前端よりは後方に位置している。
【００２６】
１２は基体１０の後部両側から上方へ導出された２本の支持体、１３は両支持体１２の中程から前方に導出された２本の支持腕、１４は基体１０の上面前部と支持腕１３との間に設けられた補強腕であり、図示は上下方向のものを示すが、基体１０の上面前部から前方へ斜めに設け、支持腕１３の中程を支持するようにしてもよい。
【００２７】
１５は加速器１の後部下面に装着された取付板、１６は加速器１の下面両側と取付板１５との間に介在したくさび形の安定体であり、取付板１５を加速器１に強固に取り付けている。
【００２８】
１７は加速器１の両側面の前部及び中間部に突設された側部取付片、１８は加速器１の後端両側上部に突設された後部取付片である。
【００２９】
そして、取付板１５が基体１０の上面に載置され、取付板１５の透孔１５ａと基体１０の透孔１０ａにボルトが挿通され、基体１０に加速器１の後部が締着される。
【００３０】
つぎに、側部取付片１７が支持腕１３に載置され、側部取付片１７の透孔１７ａと支持腕１３の透孔１３ａにボルトが挿通されて締着され、両支持腕１３に加速器１の前部及び中間部が支持される。
【００３１】
また、後部取付片１８が支持体１２の上部に当接され、後部取付片１８の透孔１８ａと支持体１２の透孔１２ａにボルトが挿通されて締着され、支持体１２に加速器１の後部が支持される。
【００３２】
そして、基体１０の前方は、遮蔽箱５が位置するスペースが取られており、補強脚１１は、加速器１前部の落下を防ぐものであり、図は２本を示しているが、中央部分に１個でもよく、前記移動機構８の障害にならない位置に設けられている。
【００３３】
また、基体１０、補強脚１１、支持体１２、支持腕１３、補強腕１４等の部材は、Ｈ鋼等の鋼材で構成し、各部材を溶接により一体に固着するのが望ましい。
【００３４】
なお、支持装置９は、図２に示す形態に限られるものではなく、前方への補強脚１１を有し、加速器１の主として後部及び両側部を支持するものであればよい。
【００３５】
【発明の効果】
本発明は、以上説明したように構成されているので、以下に記載されるような効果を奏する。
電子線加速器１が前後方向に設けられ、加速器１の真空チャンバ２下面に照射窓４が位置し、真空チャンバ２の下方に、照射窓４からの電子線が入射される遮蔽箱５が位置し、遮蔽箱５内の照射窓４下方位置に電子線受け６が設けられ、遮蔽箱５内の搬送装置７が、電子線受け６の上方位置の被照射物を左右方向に搬送し、かつ、遮蔽箱５を支持した移動機構８が、遮蔽箱８を前後方向に移動するため、照射窓４部分のメンテナンスに際し、遮蔽箱５、電子線受け６及び搬送装置７を一体の構造体として、移動機構８により前方へ移動し、照射窓４の下方を開放して照射窓４部分のメンテナンスを行うことができ、高さ方向にメンテナンスのためのストローク高さを必要とせず、装置の高さを低くすることができる。
【００３６】
さらに、真空チャンバ２内の電子源３のメンテナンスに際し、真空チャンバ２の前面板を外して行うことができ、照射窓４部分及び電子源３のメンテナンススペースが、装置の前方で同一方向であり、全体的にメンテナンススペースが減小し、設置場所を小さくでき、かつ、輸送制限を著しく軽減することができる。
【００３７】
そして、前記搬送装置７は、載置された被照射物を左右方向に移動するコンベア装置であることが望ましく、この場合、被照射物が帯状のものであってもテンションを掛けることができないもの、例えばゴム等伸縮するもの、あるいは板状でローラ搬送ができないもの等に適している。
【００３８】
また、電子線加速器１を、前方への補強脚１１を有し、電子線加速器１の主として後部及び両側部を支持する支持装置９により支持することが好ましく、この場合、加速器１、遮蔽箱５の左右方向の幅より、左右方向に殆ど広がることがなく、加速器１を支持することができ、装置の幅方向の拡大を防ぐことができる。
【００３９】
さらに、支持装置９として、電子線加速器１の後部下方に位置したほぼ直方体形状の基体１０と、基体１０の下部から前方へ導出された補強脚１１と、基体１０の後部から上方へ導出された支持体１２と、支持体１２の両側から前方に導出された支持腕１３と、加速器１の後部下面に装着され、基体１０の上面に締着された取付板１５と、加速器１の両側部に突設され、支持腕１３に締着された取付片１７とから構成することが好ましく、少ない部材で加速器１を安定に支持することができる。
【図面の簡単な説明】
【図１】本発明の実施の１形態の概略斜視図である。
【図２】本発明の実施の他の形態の斜視図である。
【図３】比較例の概略斜視図である。
【符号の説明】
１  電子線加速器
２  真空チャンバ
３  電子源
４  照射窓
５  遮蔽箱
６  電子線受け
７  搬送装置
８  移動機構
９  支持装置
【図１】
2004271201.tif 000003
【図２】
2004271201.tif 000004
【図３】
2004271201.tif 000005
【手続補正書】
【提出日】平成15年11月18日(2003.11.18)
【手続補正１】
【補正対象書類名】明細書
【補正対象項目名】０００２
【補正方法】変更
【補正の内容】
【０００２】
【従来の技術】
従来の電子線照射装置は、電子線加速器から左右方向の電子線が入射される照射室が、固定された遮蔽室と、その遮蔽室の開口部を蔽う遮蔽扉により構成され、メンテナンス時、遮蔽板を左右方向に移動して遮蔽室を開放し、メンテナンス作業を行っている（例えば、特許文献１参照。）。
【特許文献１】
特開平８−２７８３９９（第３頁、図１）